【手続補正書】
【提出日】平成15年11月5日(2003.11.5)
【手続補正１】
【補正対象書類名】明細書
【補正対象項目名】特許請求の範囲
【補正方法】変更
【補正の内容】
【特許請求の範囲】
【請求項１】
正転および逆転可能であって、正転することにより、被記録材に記録を行う記録部に被記録材を搬送する搬送ローラと、
前記搬送ローラに圧接することにより、前記搬送ローラの回動に従って従動回動する搬送従動ローラと、
前記搬送ローラの搬送方向上流側に位置し、正転および逆転可能であって、正転することにより、前記搬送ローラおよび前記搬送従動ローラに前記被記録材を給送する給紙ローラと、を備えている、記録装置における前記被記録材の給送を行う給紙装置において、
前記被記録材が前記給紙ローラの外周面から離れる位置から、前記搬送ローラと前記搬送従動ローラとの圧接点に至る給送経路上で、前記被記録材と接触して、前記被記録材が前記搬送ローラへ向かう進行角度を規制する角度規制部材を設け、
該角度規制部材における、前記被記録材と接触する接触点は、前記被記録材の給送経路を側視して、前記搬送ローラと前記搬送従動ローラとの圧接点における、前記搬送ローラ外周接線に対して、前記搬送ローラ側に位置する、ことを特徴とする給紙装置。
【請求項２】
請求項１において、前記角度規制部材における、前記被記録材と接触する接触部は、前記被記録材の搬送に従って従動回動するガイド・ローラからなる、ことを特徴とする給紙装置。
【請求項３】
請求項１または２において、前記角度規制部材は、
前記搬送従動ローラを支持し、
前記搬送従動ローラの第１回動軸と平行な第２回動軸を有し、該第２回動軸を中心として回動可能に設置され、
前記角度規制部材の第２回動軸は、
前記搬送従動ローラの第１回動軸と、
最も給送方向上流側に位置する、前記角度規制部材と前記被記録材との接触点と、
の間に設けられる、ことを特徴とする給紙装置。
【請求項４】
正転および逆転可能であって、正転することにより、被記録材に記録を行う記録部に被記録材を搬送する搬送ローラと、
前記搬送ローラに圧接することにより、前記搬送ローラの回動に従って従動回動する搬送従動ローラと、
前記搬送ローラの搬送方向上流側に位置し、正転および逆転可能であって、正転することにより、前記搬送ローラおよび前記搬送従動ローラに前記被記録材を給送する給紙ローラと、
前記給紙ローラに圧接することにより、前記給紙ローラの回動に従って従動回動する給紙従動ローラと、
前記被記録材を前記給紙ローラの外周に沿って湾曲反転させて給送を行う側面視略Ｕ字型の給送経路と、を備えている、記録装置における前記被記録材の給送を行う給紙装置において、
前記給紙ローラの外周面から離間して位置し、前記被記録材と接触して給送方向へ前記被記録材を案内するガイド面を有するガイド部材と、
請求項１から３のいずれか１項に記載の前記角度規制部材と、を備え、
前記ガイド部材のガイド面には、更に、給送方向下流側の端部および、該端部と前記給紙従動ローラとの間に、被記録材の給送に従って従動回動するガイド・ローラが必ず設けられる、ことを特徴とする給紙装置。
【請求項５】
請求項１から４のいずれか１項に記載の給紙装置を備えていることを特徴とする記録装置。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
【課題を解決するための手段】
本願請求項１に記載の発明に係る給紙装置は、正転および逆転可能であって、正転することにより、被記録材に記録を行う記録部に被記録材を搬送する搬送ローラと、前記搬送ローラに圧接することにより、前記搬送ローラの回動に従って従動回動する搬送従動ローラと、前記搬送ローラの搬送方向上流側に位置し、正転および逆転可能であって、正転することにより、前記搬送ローラおよび前記搬送従動ローラに前記被記録材を給送する給紙ローラと、を備えている、記録装置における前記被記録材の給送を行う給紙装置において、前記被記録材が前記給紙ローラの外周面から離れる位置から、前記搬送ローラと前記搬送従動ローラとの圧接点に至る給送経路上で、前記被記録材と接触して、前記被記録材が前記搬送ローラへ向かう進行角度を規制する角度規制部材を設け、該角度規制部材における、前記被記録材と接触する接触点は、前記被記録材の給送経路を側視して、前記搬送ローラと前記搬送従動ローラとの圧接点における、前記搬送ローラ外周接線に対して、前記搬送ローラ側に位置することを特徴とする。
【手続補正６】
【補正対象書類名】明細書
【補正対象項目名】００１１
【補正方法】変更
【補正の内容】
【００１１】
本願請求項１に記載の発明によれば、被記録材が給紙ローラから離れて搬送ローラへ到達する給送経路上で、被記録材と接触して、被記録材が搬送ローラへ向かう進行角度を規制する角度規制部材を設け、更に、該角度規制部材における、被記録材と接触する接触点は、被記録材の給送経路を側視して、搬送ローラと搬送従動ローラとの当接点における、搬送ローラ外周接線に対して、搬送ローラ側に位置するので、搬送ローラへ向かう被記録材の進行角度は、搬送ローラとの接触面積が増大する側に押し下げられた状態、すなわち、進行角度が規制された状態で搬送ローラへ向かうことになる。従ってこれにより、搬送ローラと被記録材との接触面積が増大され、被記録材と搬送ローラとの間の接触摩擦抵抗が増大して、搬送ローラによる被記録材の搬送力が増大され、もって印刷部へ被記録材を確実に搬送することが可能となる。
【手続補正７】
【補正対象書類名】明細書
【補正対象項目名】００１２
【補正方法】変更
【補正の内容】
【００１２】
本願請求項２に記載の発明に係る給紙装置は、請求項１において、前記角度規制部材における、前記被記録材と接触する接触部が、前記被記録材の搬送に伴って従動回動するガイド・ローラからなることを特徴とする。
【手続補正８】
【補正対象書類名】明細書
【補正対象項目名】００１３
【補正方法】変更
【補正の内容】
【００１３】
本願請求項２に記載の発明によると、角度規制部材と被記録材との接触部が、被記録材の搬送に従って従動回動するガイド・ローラからなるので、前記接触部と被記録材との接触摩擦抵抗による搬送負荷、すなわちバックテンションを低減することができ、被記録材の角度規制を行いつつ、より安定した被記録材の搬送を行うことが可能となる。
【手続補正９】
【補正対象書類名】明細書
【補正対象項目名】００１４
【補正方法】変更
【補正の内容】
【００１４】
本願請求項３に記載の発明に係る給紙装置は、請求項１または２において、前記角度規制部材は、前記搬送従動ローラを支持し、前記搬送従動ローラの第１回動軸と平行な第２回動軸を有し、該第２回動軸を中心として回動可能に設置され、前記角度規制部材の第２回動軸は、前記搬送従動ローラの第１回動軸と、最も給送方向上流側に位置する、前記角度規制部材と前記被記録材との接触点と、の間に設けられることを特徴とする。
【手続補正１０】
【補正対象書類名】明細書
【補正対象項目名】００１５
【補正方法】変更
【補正の内容】
【００１５】
搬送ローラによる被記録材の搬送は、搬送ローラと搬送従動ローラとの圧接部における、該両ローラと被記録材との間の接触摩擦抵抗力と、搬送ローラによる回動力とが協働することによって行われる。従って、前記接触摩擦抵抗力をより大なるものとするために、前記圧接部における圧接力はより大なるものとなることが好ましい。
【手続補正１１】
【補正対象書類名】明細書
【補正対象項目名】００１６
【補正方法】変更
【補正の内容】
【００１６】
一方、請求項１または２において、被記録材が搬送ローラへ向かう進行角度を規制する角度規制部材は、被記録材を一定の力でいわば押し下げるため、角度規制部材における被記録材との接触点は、被記録材から上向きの反力を受けることになる。
【手続補正１２】
【補正対象書類名】明細書
【補正対象項目名】００１７
【補正方法】変更
【補正の内容】
【００１７】
本願請求項３に記載の発明によると、前記上向きの反力を、搬送従動ローラが搬送ローラに押圧する押圧力に変えることが可能となる。すなわち、前記接触点が被記録材から上向きの反力を受けると、該反力は、角度規制部材における第２回動軸を中心にした回動力となり、該回動力が、搬送従動ローラにおける下向きの押圧力として伝達される。換言すると、前記接触点を「力点」、角度規制部材の第２回動軸を「支点」、搬送従動ローラを「作用点」とする、いわゆる“梃子の原理”によって、前記上向きの反力を、搬送従動ローラが搬送ローラに圧接するための押圧力として利用することができる。これによって、搬送ローラ，搬送従動ローラ，被記録材間の接触摩擦抵抗力を、別途特別な手段を設けることなく大なるものとすることが可能となり、搬送ローラによる被記録材の搬送力が増大され、印刷部へ被記録材を確実に搬送することが可能となる。
【手続補正１３】
【補正対象書類名】明細書
【補正対象項目名】００１８
【補正方法】変更
【補正の内容】
【００１８】
本願請求項４に記載の発明に係る給紙装置は、正転および逆転可能であって、正転することにより、被記録材に記録を行う記録部に被記録材を搬送する搬送ローラと、前記搬送ローラに圧接することにより、前記搬送ローラの回動に従って従動回動する搬送従動ローラと、前記搬送ローラの搬送方向上流側に位置し、正転および逆転可能であって、正転することにより、前記搬送ローラおよび前記搬送従動ローラに前記被記録材を給送する給紙ローラと、前記給紙ローラに圧接することにより、前記給紙ローラの回動に従って従動回動する給紙従動ローラと、前記被記録材を前記給紙ローラの外周に沿って湾曲反転させて給送を行う側面視略Ｕ字型の給送経路と、を備えている、記録装置における前記被記録材の給送を行う給紙装置において、前記給紙ローラの外周面から離間して位置し、前記被記録材と接触して給送方向へ前記被記録材を案内するガイド面を有するガイド部材と、請求項１から３のいずれか１項に記載の前記角度規制部材と、を備え、前記ガイド部材のガイド面には、更に、給送方向下流側の端部および、該端部と前記給紙従動ローラとの間に、被記録材の給送に従って従動回動するガイド・ローラが必ず設けられる、ことを特徴とする。
【手続補正１４】
【補正対象書類名】明細書
【補正対象項目名】００１９
【補正方法】変更
【補正の内容】
【００１９】
本願請求項４に記載の発明によれば、前記給紙ローラの外周面から離間して位置し、前記被記録材と接触して給送方向へ前記被記録材を案内するガイド面を有するガイド部材と、請求項１から３のいずれか１項に記載の前記角度規制部材とを備えているので、請求項１から３のいずれか１項と同様な作用効果を得ることができる。また、前記ガイド部材のガイド面には、更に、給送方向下流側の端部および、該端部と給紙従動ローラとの間に、被記録材の給送に従って従動回動するガイド・ローラが必ず設けられるので、被記録材の給送時、被記録材先端部が前記ガイド部材を通過する際の接触摩擦抵抗が軽減され、より安定した一連の給紙動作を行うことが可能となる。
【手続補正１５】
【補正対象書類名】明細書
【補正対象項目名】００２０
【補正方法】変更
【補正の内容】
【００２０】
本願請求項５に記載の発明に係る記録装置は、請求項１から４のいずれか１項に記載の給紙装置を備えていることを特徴とする。
【手続補正１６】
【補正対象書類名】明細書
【補正対象項目名】００２１
【補正方法】変更
【補正の内容】
【００２１】
本願請求項５に記載の発明によると、記録装置において、前述した本願請求項１から４のいずれか１項に記載の発明と同様の作用効果を得ることができる。
【手続補正１７】
【補正対象書類名】明細書
【補正対象項目名】００２２
【補正方法】変更
【補正の内容】
【００２２】
【発明の実施の形態】
＜インク・ジェット・プリンタの概要＞
以下では、図１および図２を参照しながら、本発明に係る「記録装置」としてのインク・ジェット・プリンタの概要について、給送経路を構成する回転ローラ群を中心に説明する。図１は、インク・ジェット・プリンタ１００の概略側面図であり、図２は、インク・ジェット・プリンタ１００の平面図（上面図）である。（但し、図２では、図１における一部の構成部材を省略する。）  
インク・ジェット・プリンタ（以下、単に「プリンタ」という。）１００は、「被記録材」としての印刷用紙（単票紙、以下、単に「用紙」という。）Ｐの給送経路として側面視略Ｕ字型の給送経路を有する。この給送経路上には、給紙トレイ１と、給紙ローラ３と、搬送ローラ５と、キャリッジ８と、排紙ローラ７とが設けられている。